(57)【特許請求の範囲】
【請求項１】
撮影光学系と、
前記撮影光学系の光軸に対して略直交する面に沿うと共に、前記撮影光学系の光路外に設けられた電気基板と、
前記電気基板を覆うと共に外観面を形成する略円筒状の部材であって、前記電気基板の少なくとも一部に対応する位置に開口された孔部を有する外観筒と、
前記電気基板上であって前記撮影光学系の光路外かつ前記孔部に対応する位置に実装され、前記孔部を通して接続されることにより外部との通信を可能とするコネクタと、
前記孔部に着脱自在に設けられ、前記孔部に装着された状態において、前記外観筒における円周方向の一部を覆い前記孔部を塞ぐ蓋部と、
を備えるレンズ鏡筒。
【請求項２】
請求項１に記載のレンズ鏡筒において、
前記コネクタは、メインＣＰＵに対するプログラム書き込みに使用すること、
を特徴とするレンズ鏡筒。
【請求項３】
請求項２に記載のレンズ鏡筒において、
前記コネクタは、不揮発性記憶手段に対する情報の書き込みに使用すること、
を特徴とするレンズ鏡筒。
【請求項４】
請求項１から請求項３までのいずれか１項に記載のレンズ鏡筒において、
前記撮影光学系の光路外に配置されるように、前記電気基板上に実装された電気素子を備え、前記電気素子は、前記電気基板の第１の面上に設けられ、前記コネクタは、前記電気基板の第２の面上に設けられていること、
を特徴とするレンズ鏡筒。
【請求項５】
請求項４に記載のレンズ鏡筒において、
前記電気素子は、前記電気基板を挟んで前記コネクタの真裏と隣接する位置に設けられていること、
を特徴とするレンズ鏡筒。
【請求項６】
請求項１から請求項５までのいずれか１項に記載のレンズ鏡筒において、
前記蓋部は、銘板、操作部材、スイッチの内の少なくとも１つを兼ねること、
を特徴とするレンズ鏡筒。
【請求項７】
請求項１から請求項６までのいずれか１項に記載のレンズ鏡筒において、
前記電気基板は、前記撮影光学系の光路の周りに配置された硬質基板であること、
を特徴とするレンズ鏡筒。
【発明の詳細な説明】
【技術分野】
【０００１】
本発明は、電気部品を実装した電気基板を備えるレンズ鏡筒に関するものである。
【背景技術】
【０００２】
図７は、第１の従来技術を示す図である。
メインＣＰＵ１１６は、電気基板１１０に実装されているレンズ内ＣＰＵであり、モータ等の駆動制御プログラムあるいはデータ通信プログラム等が書き込まれている。
固定筒１０１Ａは、外径を大きくすることにより、メインＣＰＵ１１６と内壁とが干渉しないように形成されている。
【０００３】
図８は、第２の従来技術を示す図である。
コネクタ１１３は、電気基板１１０に実装されている接続端子であり、図８に示すようにＦＰＣを接続することにより、外部に設けられたパソコン等から不図示のメインＣＰＵや不図示の不揮発性記憶手段等に各種プログラム又はデータ等の書き込みを行うことができるようになっている。
【発明の開示】
【発明が解決しようとする課題】
【０００５】
前述した第２の従来技術によるレンズ鏡筒では、ＣＰＵにプログラムを書き込んだり、不揮発性記憶部にデータを書き込むにあたり、マウント１１１を取り外し、電気基板１１０や、コネクタ１１３を露出させる必要がある。マウント１１１は、撮影光学系の光学性能を確保するために取付精度が重要であるので、プログラム等の書き込みが終了した後、マウント１１１を取り付けるときには、再度取り付け精度の確認をしなければならず、組み立て工程が増加し、コストアップとなるという問題があった。この問題は、修理時においても同様に生じる問題である。
【０００６】
本発明の課題は、内蔵された電気部品に対してプログラムの書き込み等の通信を容易に行うことができるレンズ鏡筒を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、撮影光学系（Ｌ１〜Ｌ４）と、前記撮影光学系の光軸に対して略直交する面に沿うと共に、前記撮影光学系の光路外に設けられた電気基板（１０）と、前記電気基板を覆うと共に外観面を形成する略円筒状の部材であって、前記電気基板の少なくとも一部に対応する位置に開口された孔部（１ａ）を有する外観筒（１）と、前記電気基板上であって前記撮影光学系の光路外かつ前記孔部に対応する位置に実装され、外部との通信を可能とするコネクタ（１３）と、前記孔部に着脱自在に設けられ、前記孔部に装着された状態において、前記外観筒における円周方向の一部を覆い前記孔部を塞ぐ蓋部（１２）と、を備えるレンズ鏡筒である。
【０００８】
請求項２の発明は、請求項１に記載のレンズ鏡筒において、前記コネクタ（１３）は、メインＣＰＵ（１６）に対するプログラム書き込みに使用すること、を特徴とするレンズ鏡筒である。
請求項３の発明は、請求項２に記載のレンズ鏡筒において、前記コネクタ（１３）は、不揮発性記憶手段に対する情報の書き込みに使用すること、を特徴とするレンズ鏡筒である。
請求項４の発明は、請求項１から請求項３までのいずれか１項に記載のレンズ鏡筒において、前記撮影光学系（Ｌ１〜Ｌ４）の光路外に配置されるように、前記電気基板（１０）上に実装された電気素子（１６）を備え、前記電気素子は、前記電気基板の第１の面上に設けられ、前記コネクタ（１３）は、前記電気基板の第２の面上に設けられていること、を特徴とするレンズ鏡筒である。
【０００９】
請求項５の発明は、請求項４に記載のレンズ鏡筒において、前記電気素子（１６）は、前記電気基板（１０）を挟んで前記コネクタ（１３）の真裏と隣接する位置に設けられていること、を特徴とするレンズ鏡筒である。
請求項６の発明は、請求項１から請求項５までのいずれか１項に記載のレンズ鏡筒において、前記蓋部（１２）は、銘板、操作部材、スイッチの内の少なくとも１つを兼ねること、を特徴とするレンズ鏡筒である。
請求項７の発明は、請求項１から請求項６までのいずれか１項に記載のレンズ鏡筒において、前記電気基板（１０）は、前記撮影光学系（Ｌ１〜Ｌ４）の光路の周りに配置された硬質基板であること、を特徴とするレンズ鏡筒である。
なお、符号を付して説明した構成は、適宜改良してもよく、また、少なくとも一部を他の構成物に代替してもよい。
【発明の効果】
【００１０】
本発明によれば、以下の効果を奏することができる。
請求項１の発明によれば、電気基板上であって孔部に対応する位置に実装されたコネクタと、孔部を塞ぐ蓋部とを備えるので、レンズ鏡筒の組み立て完了後や修理時であっても、マウント等を取り外す必要が無く、通信を容易に行うことができる。
【００１１】
請求項２の発明によれば、コネクタは、メインＣＰＵに対するプログラム書き込みに使用するので、プログラムの書き込みを簡単に行うことができる。
請求項３の発明によれば、コネクタは、不揮発性記憶手段に対する情報の書き込みに使用するので、各種設定値などを簡単に調整、変更することができる。
請求項４の発明によれば、電気素子は、電気基板の第１の面上に設けられ、コネクタは、電気基板の第２の面上に設けられているので、電気素子とコネクタとを近くに配置することができ、同一の孔部を利用した配置とすることができる。
【００１２】
請求項５の発明によれば、電気素子は、電気基板を挟んでコネクタの真裏付近となる位置に設けられているので、孔部として開口する大きさを小さくすることができる。
請求項６の発明によれば、蓋部は、銘板、操作部材、スイッチの内の少なくとも１つを兼ねるので、新たな部品を必要とすることなく、安価なレンズ鏡筒とすることができる。また、使用者には、蓋となる部品が取り付けられているということを認識させないので、誤って取り外してしまうこともなく、外観品質も向上させることができる。
請求項７の発明によれば、電気基板は、撮影光学系の光路の周りに配置された硬質基板であるので、レンズ鏡筒の全長を短くすることができると共に、集積度を高めてさらなる小型化を実現することができる。
【発明を実施するための最良の形態】
【００１３】
［実施形態］
以下、図面等を参照しながら、本発明の実施の形態について、更に詳しく説明する。
図１は、本発明によるレンズ鏡筒の実施形態をメインＣＰＵ１６付近で切断した断面図である。
固定筒１は、レンズ群Ｌ１〜Ｌ４の位置によらず移動しないベースとなる部材であると共に、外周面の一部が外部に露出して、外観面を形成している外観筒である。
固定筒１の内周側には、光軸方向に移動可能な移動部材８，９が嵌合し、移動部材８，９は、それぞれレンズ群Ｌ３，Ｌ４を保持している。固定筒１の先端には、光軸と略直交する方向に移動可能な移動部材７が保持され、移動部材７は、レンズ群Ｌ２を保持している。
【００１４】
また、固定筒１の外周側には、カムリング２が嵌合し、光軸周りの回転のみ許容されている。カムリング２の外周側には、先端にヘリコイドネジを有する移動部材３が嵌合し、ヘリコイドネジを介して、レンズ群Ｌ１を保持する保持部材４が、ネジ嵌合している。
【００１５】
さらに、固定筒１には、フォーカス操作環５と、ズーム操作環６が回転可能に嵌合している。フォーカス操作環５を回転させると、保持部材４が回転し、ヘリコイドネジによってレンズ群Ｌ１は、光軸方向に移動し、被写体に合焦操作できる。フォーカス操作環５は、手動により操作を行うことも、不図示のレンズ駆動モータにより駆動することも可能である。ズーム操作環６を回転させると、不図示の連結キーによりカムリング２が回転し、カムリング２のカム溝と固定筒の直進溝により、レンズ群Ｌ１，Ｌ３，Ｌ４は、光軸方向に移動し、変倍操作ができる。
【００１６】
レンズ群Ｌ２は、不図示の手ブレ検出センサーにより検出された手ブレをうち消す方向に、不図示のブレ補正モータにより光軸に略直交する方向に駆動される。電気基板１０は、光軸に略直交する面に沿う方向に固定筒１にビス１４で固定され、光路の周りに略円環状（いわゆるドーナッツ状）に配置された硬質基板である。電気基板１０を略円環状にして上述のように配置することにより、レンズ鏡筒の全長を短くすることができる。また、硬質基板とすることにより、多層構造基板として、集積度を高めることにより、さらなる小型化を実現することができる。
【００１７】
電気基板１０には、前述のレンズ群Ｌ１を駆動する不図示のレンズ駆動モータの駆動制御用の回路，レンズ群Ｌ２を駆動する不図示のブレ補正モータの駆動制御用の回路，不図示のカメラボディとデータ通信をする回路等が形成されている。
マウント１１は、不図示のビスにより固定筒１に固定されており、不図示のカメラボディとデータ通信を行う不図示の端子を有している。
【００１８】
図２は、図１におけるＣＣ断面を示す図である。
図１，２に示すように、固定筒１の後方（マウント１１側）であって、電気基板１０に近い位置には、孔部１ａが設けられ、この孔部１ａをふさぐ蓋部としてスイッチブロック１２が固定筒１に着脱自在に設けられている。このスイッチブロック１２には、オートフォーカスとマニュアルフォーカスの切換スイッチ、又は、手ブレ補正を行うか否かの切換スイッチ等が設けられている。
【００１９】
メインＣＰＵ１６は、電気基板１０のマウント１１側の面（第１の面）に実装されているレンズ内ＣＰＵ（電気素子）であり、モータ等の駆動制御プログラム及びデータ通信プログラム等が書き込まれている。本実施形態におけるレンズ鏡筒は、オートフォーカス機構と、ブレ補正機構を備えており、これらの制御を行うメインＣＰＵ１６は、固定筒１の内壁と撮影光学系（Ｌ１〜Ｌ４）の光路との間に設けられる空間よりも外形が大きくなっている。
メインＣＰＵ１６は、前述のスイッチブロック１２用の孔部１ａ近傍の電気基板１０に配置されている。メインＣＰＵ１６は、外形形状が大きいため、電気基板１０も、メインＣＰＵ１６に対応した部分だけ突出部を有する。この突出部は、前記固定筒１の孔部１ａに挿入されるように配置されている。
【００２０】
前述した従来技術によるレンズ鏡筒においては、この突出部の外周側に固定筒１０１Ａが配置され、レンズ鏡筒の大型化を招いていた。しかし、本実施形態においては、電気基板１０の突出部分のみを、スイッチブロック１２で覆い隠す構造になっている。そのため、鏡筒外径は、必要最低限の部分のみ大きくなっていて、従来のような鏡筒の大型化を防いでいる。また、スイッチブロック１２を利用して覆い隠しているため、別に部材を追加する必要もなく、不自然に飛び出して見えることもない。
【００２１】
図３は、本発明によるレンズ鏡筒の実施形態をコネクタ１３付近で切断した断面図である。
図４は、図３におけるＡＡ断面を示す図である。
コネクタ１３は、電気基板１０の被写体側の面（第２の面）に実装されている接続端子部材であり、孔部１ａの近くに設けられている。コネクタ１３は、メインＣＰＵ１６にプログラムを書き込むときに、ＦＰＣ（Ｆｌｅｘｉｂｌｅ  Ｐｒｉｎｔｅｄ  Ｃｉｒｃｕｉｔｓ）１５（図５，図６参照）を差込み、外部との通信を可能にする部材である。
また、本実施形態では、メインＣＰＵ１６とコネクタ１３とが電気基板１０を挟んで、お互いにすぐ裏（真裏）付近となる位置に設けられている。このように配置することにより、孔部１ａを大きくしたり、副数設ける必要がなくなる。
【００２２】
図５，６は、それぞれ、図３，４において、コネクタ１３にＦＰＣ１５を差し込んでプログラムを書き込んでいる状態を示す図である。
本実施形態においては、スイッチブロック１２を取り外すだけで、孔部１ａを通してコネクタ１３が露出し、ＦＰＣ１５を容易に差し込むことができる。したがって、マウント１１には手を加えなくても良いため、工程中で取り付けた取り付け精度がそのまま維持されることとなり、プログラム書き込み後の再調整、再検査も不要である。
【００２３】
本実施形態によれば、電気基板１０のＣＰＵ１６が実装された突出部分のみを、スイッチブロック１２で覆い隠す構造になっている。そのため、レンズ鏡筒の外径は、必要最低限の部分のみ大きくなっていて、レンズ鏡筒を小型化することができる。また、スイッチブロック１２で覆い隠しているため、別に部材を追加する必要もなく、コストアップとなることもない。
さらに、スイッチブロック１２のみを取り外すだけで、プログラムの書き込みができ、マウント１１には手を加えなくても良い。そのため、工程中で取り付けた取り付け精度がそのまま維持でき、プログラム書き込み後の再調整、再検査も不要となり、コストの削減を図ることができる。さらに、修理する場合においても、作業性がよく、修理を安価にすることができる。
【００２４】
［変形形態］
以上説明した実施形態に限定されることなく、種々の変形や変更が可能であって、それらも本発明の均等の範囲内である。
（１）本実施形態において、固定筒１に設けた孔部１ａは、スイッチブロック１２用の孔部である例を示した、本発明はこれに限られない。すなわち、孔部を、完成品状態では、他の部品を取り付けて覆い隠すような構造であれば、本発明を適用することが可能である。たとえば、スイッチブロックでなく、製品の名称銘板でもよいし、すべり止めのゴムリングのようなものであってもよい。
【００２５】
（２）本実施形態において、形状の大きな電気素子として、メインＣＰＵ１６を設けた例を示したが、これに限らず、その他の大きな電気素子であってもよい。
（３）本実施形態において、コネクタ１３は、メインＣＰＵ１６にプログラムやデータを書き込むためのコネクタとして説明したが、これに限らず、例えば、ＥＥＰＲＯＭ，ＣＰＵ等にデータを書き込んだり、読み出す等のデータ通信を行うためのコネクタでもよい。
（４）本実施形態において、孔部１ａの近くに、メインＣＰＵ１６とコネクタ１３とを、基板１０の両面に分けて設けた例を示したが、これに限らず、例えば、基板１０の同一面に配置してもよいし、孔部１ａとは別の位置に他の孔部を設けてもよい。また、孔部１ａの近くに配置するのは、メインＣＰＵ１６のみとしてもよいし、コネクタ１３のみとしてもよい。
【図面の簡単な説明】
【００２６】
【図１】本発明によるレンズ鏡筒の実施形態をメインＣＰＵ１６付近で切断した断面図である。
【図２】図１におけるＣＣ断面を示す図である。
【図３】本発明によるレンズ鏡筒の実施形態をコネクタ１３付近で切断した断面図である。
【図４】図３におけるＡＡ断面を示す図である。
【図５】図３において、コネクタ１３にＦＰＣ１５を差し込んでプログラムを書き込んでいる状態を示す図である。
【図６】図４において、コネクタ１３にＦＰＣ１５を差し込んでプログラムを書き込んでいる状態を示す図である。
【図７】第１の従来技術を示す図である。
【図８】第２の従来技術を示す図である。
【符号の説明】
【００２７】
１  固定筒  ：  １ａ  孔部  ：  ２  カムリング  ：  ３，７，８，９  移動部材  ：  ４  保持部材  ：  ５  フォーカス操作環  ：  ６  ズーム操作環  ：  １０  電気基板  ：  １１  マウント  ：  １２  スイッチブロック  ：  １３  コネクタ  ：  １４  ビス  ：  １５  ＦＰＣ  ：  １６  メインＣＰＵ  ：  Ｌ１〜Ｌ４  レンズ群
【図１】
0004640299.tif 000002
【図２】
0004640299.tif 000003
【図３】
0004640299.tif 000004
【図４】
0004640299.tif 000005
【図５】
0004640299.tif 000006
【図６】
0004640299.tif 000007
【図７】
0004640299.tif 000008
【図８】
0004640299.tif 000009